(57)【要約】      （修正有）【課題】光記録媒体への情報の記録と同時に再生するＤＲＡＷ技術を安定化した光記録再生装置を提供する。【解決手段】第１の光源および第２の光源を含む複数の光源と、光源の光出力を変調する制御部とを備え、前記制御部は、光記録媒体上へのユーザデータの記録を一時中断する光出力制御用区間Ｔｃにおいて、非ユーザデータを前記光記録媒体に記録し、前記非ユーザデータの記録中に前記第２の光源の発光を停止し、前記第２の光源の発光が停止している間に前記第１の光源の光出力情報を取得する、光記録再生装置。【選択図】図７
2013093086.tif 000002
【特許請求の範囲】
【請求項１】
第１の光源および第２の光源を含む複数の光源と、
前記第１の光源から出射された記録用ビーム、および前記第２の光源から出射された再生用ビームを光記録媒体に集束する光学系であって、光記録媒体の同一箇所を前記再生用ビームより先行して前記記録用ビームで走査するよう前記記録用ビームおよび再生用ビームを前記光記録媒体上に集束する光学系と、
前記記録用および再生用ビームの前記光記録媒体による反射光を検知して電気信号を生成する信号検出用検出器と、
前記第１および第２の光源の光出力をモニタするパワーモニタ用検出器と、
前記第１および第２の光源の光出力を制御し、記録モードにおいては前記記録用ビームを用いて前記光記録媒体に信号マークを形成するように前記第１の光源の光出力を変調する制御部と、
を備え、
前記制御部は、前記光記録媒体上へのユーザデータの記録を一時中断する光出力制御用区間において、非ユーザデータを前記光記録媒体に記録し、前記非ユーザデータの記録中に前記第２の光源の発光を停止し、
前記パワーモニタ用光検出器は、前記第２の光源の発光が停止している間に前記第１の光源の光出力情報を取得する、光記録再生装置。
【請求項２】
前記非ユーザデータは番地データおよび同期信号の少なくとも一方を含む請求項１に記載の光記録再生装置。
【請求項３】
前記制御部は、前記光記録媒体の前記光出力制御用区間内にデータの未記録区間を設ける請求項１に記載の光記録再生装置。
【請求項４】
前記制御部は、前記光記録媒体の前記光出力制御用区間に隣接して番地データを記録する請求項１に記載の光記録再生装置。
【請求項５】
前記第１の光源の光出力情報および前記第２の光源の光出力情報を同一の光出力制御用区間内で取得する請求項１に記載の光記録再生装置。
【請求項６】
前記第２の光源の光出力情報を取得するときに前記第１の光源の発光を停止する請求項１に記載の光記録再生装置。
【請求項７】
前記第２の光源の光出力情報を取得した後に前記第１の光源の光出力情報を取得する請求項６に記載の光記録再生装置。
【請求項８】
前記記録用ビームによる前記非ユーザデータの記録を終了した時、前記再生用ビームの照射位置は同一の非ユーザデータ上にある請求項１に記載の光記録再生装置。
【請求項９】
前記記録用ビームまたは前記再生用ビームが前記光出力制御用区間を通過する時間ｔと、前記光出力制御動作の周期Ｔとの関係が、Ｔ／ｔ≧１００である請求項１に記載の光記録再生装置。
【請求項１０】
第１の光源および第２の光源を含む複数の光源と、
前記第１の光源から出射された記録用ビーム、および前記第２の光源から出射された再生用ビームを光記録媒体に集束する光学系であって、光記録媒体の同一箇所を前記再生用ビームより先行して前記記録用ビームで走査するよう前記記録用ビームおよび再生用ビームを前記光記録媒体上に集束する光学系と、
前記記録用および再生用ビームの前記光記録媒体による反射光を検知して電気信号を生成する信号検出用検出器と、
前記第１および第２の光源の光出力をモニタするパワーモニタ用検出器と、
前記第１および第２の光源の光出力を制御し、記録モードにおいては前記記録用ビームを用いて前記光記録媒体に信号マークを形成するように前記第１の光源の光出力を変調する制御部と、
を備え、
前記制御部は、前記パワーモニタ用光検出器の出力からサンプルされたパワーモニタ信号に基づいて、前記第１および第２の光源の光出力を制御する、光記録再生装置。
【請求項１１】
前記パワーモニタ信号のサンプリングのタイミングは、前記第１の光源の光出力を変調するための変調信号に基づいて決定される、請求項１０に記載の光記録再生装置。
【請求項１２】
前記変調信号は２値以上のレベル間で変化する波形を有し、
前記第２の光源のために行われる前記パワーモニタ信号のサンプリングは、前記変調信号のレベルが最高値よりも低いレベルにあるときに実行される、請求項１１に記載の光記録再生装置。
【請求項１３】
前記第２の光源のために行われる前記パワーモニタ信号のサンプリングは、前記変調信号のレベルが最も低いときに実行される、請求項１２に記載の光記録再生装置。
【請求項１４】
前記第２の光源のために行われる前記パワーモニタ信号のサンプリングは、前記記録媒体に形成されていた記録マークを前記記録用ビームで消去する値に前記変調信号のレベルがあるとき、実行される、請求項１３に記載の光記録再生装置。
【請求項１５】
前記第２の光源のために行われる前記パワーモニタ信号のサンプリングは、前記記録媒体に形成されていた記録マークを前記記録用ビームで消去する値に、予め設定された期間以上、前記変調信号のレベルがあるとき、実行される、請求項１３に記載の光記録再生装置。
【請求項１６】
前記パワーモニタ用検出器は、前記第１の光源のためのパワーモニタ信号を出力する配線と、前記第２の光源のパワーモニタ信号を出力する配線とを有している、請求項１０から１５のいずれかに記載の光記録再生装置。
【請求項１７】
前記第１の光源のパワーモニタ信号のゲインを調整する第１ゲイン調整器と、前記第２の光源のパワーモニタ信号のゲインを調整する第２ゲイン調整器とを有する請求項１６に記載の光記録再生装置。
【請求項１８】
前記第２の光源のパワーモニタ信号のゲインは、前記第１の光源のパワーモニタ信号のゲインより高い値に設定されている、請求項１７に記載の光記録再生装置。
【請求項１９】
前記第２の光源のパワーモニタ信号に含まれる前記第２の光源の出力成分が、前記第２の光源のパワーモニタ信号がサンプルされるときにおける前記第１の光源のパワーモニタ信号の値に略等しくなるように前記ゲインが調整される請求項１７、１８に記載の光記録再生装置。
【請求項２０】
前記第１の光源の光出力の変更に合わせて前記第２の光源のパワーモニタ信号のゲインを変化させることができる、請求項１７から１９の何れかに記載の光記録再生装置。
【請求項２１】
パワーモニタ用検出器は、前記第１の光源のパワーモニタ信号を生成するための第１の領域と、前記第２の光源のパワーモニタ信号を生成するための第２の領域とに分割された受光素子を有する請求項１６から２０の何れかに記載の光記録再生装置。
【請求項２２】
前記第２の領域から得られた光電流を電圧に変換するアンプにおいて、前記第１の光源から入射した光の波高値は飽和している請求項２１に記載の光記録再生装置。
【請求項２３】
タイミング信号がオフの区間に第２の光源のパワーを変化させる請求項１２から２２の何れかに記載の光記録再生装置。
【発明の詳細な説明】
【技術分野】
【０００１】
本発明は、光テープ、光ディスク、光カードなど、光記録媒体上に情報の記録・再生あるいは消去を行う光記録再生装置に関し、特に情報を記録しつつ、同時に記録された信号マークの検証を行う装置に関するものである。
【背景技術】
【０００２】
近年、映像データ、写真データ等の高品位化、および多くの紙媒体の電子化などによりデジタルデータの量は急激に増大している。特にクラウドコンピューティングと呼ばれる、ネットワーク上のサーバ、ストレージ等を使って各種アプリケーションを使用したり各種サービスを利用したりするモデルでは、多くの利用者が様々なデータをネットワーク上のストレージに保存するため、そのデータ蓄積量は今後さらに膨大なものとなる。
【０００３】
その一方で、データの保存義務についての法制化が進んでおり、これらの膨大なデータを保存する際の確実性、信頼性も要求される。こうした大容量データを、光を用いて記録媒体に記録する装置において、記録の信頼性を高めるために、信号マークが光記録媒体に正しく形成されたかどうかを検証する動作(以降、これを「ベリファイ」とよぶ)は必要不可欠である。
【０００４】
従来、記録媒体として光ディスクを用いる追記型や書き換え型の記録再生装置では、記録媒体に欠陥などがあって記録できなかった場合などを想定し、書き込み後にデータの読み出しを行い、記録データとの比較によりエラー検出を行っている。
【０００５】
なお、このベリファイは、全ての記録が終わった後に行うのではなく、一定の記録転送速度を保持しうる単位で行うことが多い。すなわちディスクが一定量の回転をするごとに記録動作を中断し、トラックジャンプして元の位置に戻り記録した箇所の再生を行ってエラーチェックし、その後またトラックジャンプして別の領域へ移動し次のデータの記録を行うといった動作を繰り返し行っている。このためデータの信頼性は確保できるが記録時間が長くなる。
【０００６】
なお、記録後の読み出しでエラーが検出された場合、記録した箇所を避けて別の領域に再記録を行う。光ディスクにおいてはセクタと呼ばれる領域単位毎にひとかたまりのデータとそのＩＤ情報が記録されており、エラーが検出されたデータを含むセクタ単位のデータは別のセクタ（交代セクタとよぶ）に記録し直される。
【０００７】
従来の記録のデータ訂正を行う記録再生装置については、例えば特許文献１に記載されている。
【０００８】
近年、データの大容量化と高信頼性化への要求に対し長期アーカイバル保存に適した記録再生装置として、光媒体をテープ状にした光テープといった装置や複数の光ディスクドライブを組み合わせて同時にハンドリングするような装置が提案されている。このような大容量の記録再生装置においては記録転送速度も十分大きくしながら、一方で記録データの信頼性を維持することが要求される。
【０００９】
ただ、テープ状メディア等のようにランダムアクセス性が低いものの場合、上述したような従来の光ディスク装置のように時系列で記録と再生チェックの動作を繰り返す方式では記録速度を上げることは困難である。
【００１０】
こうした要求に対し、記録動作とベリファイのための再生動作を同時に行うＤＲＡＷ（Ｄｉｒｅｃｔ  Ｒｅａｄ  ａｆｔｅｒ  Ｗｒｉｔｅ）とよばれる技術が提案されている。
【００１１】
ＤＲＡＷ技術を用いた従来の記録再生装置については、例えば特許文献２に記載されている。図２７Ａ〜Ｃは特許文献２に開示された光ピックアップの構成および動作を説明するための図である。
【００１２】
図２７Ａに示される光ピックアップの光学系は、光源４１０、回折素子４１１、偏光ビームスプリッタ４０３、波長板４０４、コリメートレンズ４０５、ミラー４０６、対物レンズ４０７、検出レンズ４０２、および検出器４０１を有している。光源４１０を出射した光は回折格子４１１で主に０次光ビームと±１次光ビームに回折され、対物レンズ４０７により集光されて光記録媒体４０８の同一トラック上に３つの集光スポット（メインスポットおよび２つのサブスポット）を形成する。
【００１３】
図２７Ｂは光記録媒体４０８の面上に形成された光スポットの配置を表す。
【００１４】
図２７Ｂに示される０次光によるメインスポット５００は、記録媒体に信号を記録するための「記録スポット」である。一方、±１次光による２つのサブスポット５１０、５２０は、記録された信号の再生を行うための再生用スポットである。回折格子の効率比に起因して、±１次光の強度は、０次光の強度よりも十分に低い。そのため、２つのサブスポット５１０、５２０によって信号が消去されたり、書き換えられたりすることはない。
【００１５】
メインスポット５００とサブスポット５１０、５２０は同一トラック上に配置されており、記録媒体上を矢印ａの方向にスポットが移動する。本明細書では、記録媒体のトラック上をメインスポットが移動することを、「記録媒体を記録用ビームで走査する」と称する。同様に、記録媒体のトラック上をサブスポットが移動することを、「記録媒体を再生用ビームで走査する」と称する。ＤＲＡＷを行う場合は、光記録媒体の同一箇所を再生用ビームより先行して記録用ビームで走査する。２つのサブスポットの内、サブスポット５１０は記録スポットの後を移動し記録されたマークを読み取る。一方、サブスポット５２０は記録スポットの前を移動しており、その反射光は記録マークの情報は含まない。これらの光ビームは光記録媒体４０８で反射され光学系を経て検出器４０１により各々光量検出される。
【００１６】
図２７Ｃは検出器４０１の受光素子の配置を示す図である。
【００１７】
図において４分割されたメイン受光素子１２１は０次光、すなわちメインスポットの反射光を受光し、図２７Ａの検出レンズ４０２で与えられる非点収差量がデフォーカスにより変化することでフォーカス信号の検出を行うとともに、プッシュプル法によるトラッキングエラー信号の検出を行う。一方、サブ受光素子１２２、１２３はそれぞれサブスポット５１０、サブスポット５２０による反射光を受光する。
【００１８】
ここで光源４１０は光記録媒体４０８への情報ピット形成のため変調信号で駆動された光を出射する。
【００１９】
同じ光源４１０から出ている再生用ビームも当然この光変調を受けているため±１次光の２つの再生スポットのうち記録スポットの後を走査する側のサブスポット５１０による反射光は記録マークによる反射率変化と光変調による光量変化が加算された信号成分を有する。もう一方のサブスポット５２０はメインスポット５００の前の未記録部を走査するため記録マークによる反射率変化を含まず光源の光変調による光量変化がのみの信号となる。このためこれら２つのサブビームの信号を差動することで再生信号（すなわちベリファイのためのモニター信号）を得ることが出来る。
【００２０】
すなわち記録用スポット（メインスポット５００）と再生用スポット（サブスポット５１０、５２０）を同時に照射し、記録しながら記録後の信号を再生するＤＲＡＷの技術を用いることで記録信頼性を確保しながら従来以上に記録転送速度の高いシステムが実現可能となる。
【先行技術文献】
【特許文献】
【００２１】
【特許文献１】特開昭５９−１１３５０９号公報
【特許文献２】特開昭６３−２４９９４１号公報
【特許文献３】特開昭６１−２６１８２８号公報
【発明の概要】
【発明が解決しようとする課題】
【００２２】
低価格で簡便にＤＲＡＷに対応する光記録再生装置を構成する例として、従来例に示したように一つの光源からの光を分岐して記録ビームと再生ビームとを形成する構成がある。しかし、この構成の場合、再生ビーム側にも記録変調信号が重畳されてしまうため、再生ビームから得られる信号から記録変調成分を除去する必要がある。原理的には従来例のような手法により記録変調成分の除去は可能であるが、実際の記録中のサブビーム信号における記録変調成分の振幅は、記録マーク成分の信号振幅に比べて遙かに大きい。つまり、サブビーム信号が記録変調成分で飽和しないように回路のダイナミックレンジを設定しなければいけないが、そのとき得られる記録マーク成分の信号振幅は非常に微小なレベルとなる。加えて、記録変調成分を別のサブビーム信号との差動により得る際の差動バランスや信号間の周波数特性や遅延の違いにより、完全に記録変調成分を取り除くのは非常に困難である。これらの理由により、ＤＲＡＷ信号のＳ／Ｎを確保するには非常に高度な信号処理システムが要求される。
【００２３】
本発明の実施形態は、安定なＤＲＡＷ動作が可能な光記録再生装置を提供する。
【課題を解決するための手段】
【００２４】
本発明の光記録再生装置は、第１の光源および第２の光源を含む複数の光源と、前記第１の光源から出射された記録用ビーム、および前記第２の光源から出射された再生用ビームを光記録媒体に集束する光学系であって、光記録媒体の同一箇所を前記再生用ビームより先行して前記記録用ビームで走査するよう前記記録用ビームおよび再生用ビームを前記光記録媒体上に集束する光学系と、前記記録用および再生用ビームの前記光記録媒体による反射光を検知して電気信号を生成する信号検出用検出器と、前記第１および第２の光源の光出力をモニタするパワーモニタ用検出器と、前記第１および第２の光源の光出力を制御し、記録モードにおいては前記記録用ビームを用いて前記光記録媒体に信号マークを形成するように前記第１の光源の光出力を変調する制御部とを備え、前記制御部は、前記光記録媒体上へのユーザデータの記録を一時中断する光出力制御用区間において、非ユーザデータを前記光記録媒体に記録し、前記非ユーザデータの記録中に前記第２の光源の発光を停止し、前記パワーモニタ用光検出器は、前記第２の光源の発光が停止している間に前記第１の光源の光出力情報を取得する。
【００２５】
ある実施形態において、前記非ユーザデータは番地データおよび同期信号の少なくとも一方を含む。
【００２６】
ある実施形態において、前記制御部は、前記光記録媒体の前記光出力制御用区間内にデータの未記録区間を設ける。
【００２７】
ある実施形態において、前記制御部は、前記光記録媒体の前記光出力制御用区間に隣接して番地データを記録する。
【００２８】
ある実施形態において、前記第１の光源の光出力情報および前記第２の光源の光出力情報を同一の光出力制御用区間内で取得する。
【００２９】
ある実施形態において、前記第２の光源の光出力情報を取得するときに前記第１の光源の発光を停止する。
【００３０】
ある実施形態において、前記第２の光源の光出力情報を取得した後に前記第１の光源の光出力情報を取得する。
【００３１】
ある実施形態において、前記記録用ビームによる前記非ユーザデータの記録を終了した時、前記再生用ビームの照射位置は同一の非ユーザデータ上にある。
【００３２】
ある実施形態において、前記記録用ビームまたは前記再生用ビームが前記光出力制御用区間を通過する時間ｔと、前記光出力制御動作の周期Ｔとの関係が、Ｔ／ｔ≧１００である。
【００３３】
本発明の他の光記録再生装置は、第１の光源および第２の光源を含む複数の光源と、前記第１の光源から出射された記録用ビーム、および前記第２の光源から出射された再生用ビームを光記録媒体に集束する光学系であって、光記録媒体の同一箇所を前記再生用ビームより先行して前記記録用ビームで走査するよう前記記録用ビームおよび再生用ビームを前記光記録媒体上に集束する光学系と、前記記録用および再生用ビームの前記光記録媒体による反射光を検知して電気信号を生成する信号検出用検出器と、前記第１および第２の光源の光出力をモニタするパワーモニタ用検出器と、前記第１および第２の光源の光出力を制御し、記録モードにおいては前記記録用ビームを用いて前記光記録媒体に信号マークを形成するように前記第１の光源の光出力を変調する制御部とを備え、前記制御部は、前記パワーモニタ用光検出器の出力からサンプルされたパワーモニタ信号に基づいて、前記第１および第２の光源の光出力を制御する。
【００３４】
ある実施形態において、前記パワーモニタ信号のサンプリングのタイミングは、前記第１の光源の光出力を変調するための変調信号に基づいて決定される。
【００３５】
ある実施形態において、前記変調信号は２値以上のレベル間で変化する波形を有し、前記第２の光源のために行われる前記パワーモニタ信号のサンプリングは、前記変調信号のレベルが最高値よりも低いレベルにあるときに実行される。
【００３６】
ある実施形態において、前記第２の光源のために行われる前記パワーモニタ信号のサンプリングは、前記変調信号のレベルが最も低いときに実行される。
【００３７】
ある実施形態において、前記第２の光源のために行われる前記パワーモニタ信号のサンプリングは、前記記録媒体に形成されていた記録マークを前記記録用ビームで消去する値に前記変調信号のレベルがあるとき、実行される。
【００３８】
ある実施形態において、前記第２の光源のために行われる前記パワーモニタ信号のサンプリングは、前記記録媒体に形成されていた記録マークを前記記録用ビームで消去する値に、予め設定された期間以上、前記変調信号のレベルがあるとき、実行される。
【００３９】
ある実施形態において、前記パワーモニタ用検出器は、前記第１の光源のためのパワーモニタ信号を出力する配線と、前記第２の光源のパワーモニタ信号を出力する配線とを有している。
【００４０】
ある実施形態において、前記第１の光源のパワーモニタ信号のゲインを調整する第１ゲイン調整器と、前記第２の光源のパワーモニタ信号のゲインを調整する第２ゲイン調整器とを有する。
【００４１】
ある実施形態において、前記第２の光源のパワーモニタ信号のゲインは、前記第１の光源のパワーモニタ信号のゲインより高い値に設定されている。
【００４２】
ある実施形態において、前記第２の光源のパワーモニタ信号に含まれる前記第２の光源の出力成分が、前記第２の光源のパワーモニタ信号がサンプルされるときにおける前記第１の光源のパワーモニタ信号の値に略等しくなるように前記ゲインが調整される。
【００４３】
ある実施形態において、前記第１の光源の光出力の変更に合わせて前記第２の光源のパワーモニタ信号のゲインを変化させることができる。
【００４４】
ある実施形態において、パワーモニタ用検出器は、前記第１の光源のパワーモニタ信号を生成するための第１の領域と、前記第２の光源のパワーモニタ信号を生成するための第２の領域とに分割された受光素子を有する。
【００４５】
ある実施形態において、前記第２の領域から得られた光電流を電圧に変換するアンプにおいて、前記第１の光源から入射した光の波高値は飽和している。
【００４６】
ある実施形態において、タイミング信号がオフの区間に第２の光源のパワーを変化させる。
【発明の効果】
【００４７】
本発明の実施形態によれば、複数光源を使ったＤＲＡＷ動作が可能になる。
【図面の簡単な説明】
【００４８】
【図１Ａ】光テープ１０５の一部を模式的に拡大して示す斜視図
【図１Ｂ】光テープ１０５の一部を模式的に示す平面図
【図２Ａ】本発明の実施形態１による光データストリーマ装置の構成例を示す図
【図２Ｂ】図２ＡのＢ−Ｂ線断面図
【図３】本発明の実施形態１における光データストリーマ装置の回路構成例を示す図
【図４】本発明の実施形態１における光記録再生装置の構成図
【図５】本発明の実施形態１の信号検出の構成図
【図６】本発明の実施形態１のパワーモニタ用検出器の説明図
【図７】（ａ）および（ｂ）は、本発明の実施形態１の光記録媒体の記録状態と光スポットの動作説明図
【図８】（ａ）は本発明の実施形態１のメインビームの光出力の動作説明図、（ｂ）は本発明の実施形態１のサブビームの光出力の動作説明図、（ｃ）は本発明の実施形態１のパワーモニタ用検出器の出力の動作説明図
【図９】本発明の実施形態１の光源制御手段の要素構成図
【図１０】本発明の実施形態１の光源制御手段の要素構成図
【図１１】（ａ）および（ｂ）は、本発明の実施形態１の光記録媒体の記録状態と光スポットの動作の別例を説明する図
【図１２】本発明の実施形態２における光記録再生装置の構成図
【図１３】（ａ）および（ｂ）は、本発明の実施形態２の光記録媒体の記録状態と光スポットの動作説明図
【図１４】（ａ）は本発明の実施形態２のメインビームの光出力の動作説明図、（ｂ）は本発明の実施形態２のサブビームの光出力の動作説明図、（ｃ）は本発明の実施形態２のパワーモニタ用検出器の出力の動作説明図
【図１５】本発明の実施形態２の光源制御手段の要素構成図
【図１６】（ａ）および（ｂ）は、本発明の実施形態２の光記録媒体の記録状態と光スポットの動作の別例を説明する図
【図１７】（ａ）および（ｂ）は、本発明の実施形態２の光記録媒体の記録状態と光スポットの動作の別例を説明する図
【図１８】（ａ）は本発明の実施形態３のメインビームの光出力の動作説明図、（ｂ）は本発明の実施形態３のサブビームの光出力の動作説明図、（ｃ）は本発明の実施形態３のパワーモニタ用検出器の出力の動作説明図
【図１９】本発明の実施形態４の光源制御手段の構成図
【図２０】（ａ）は本発明の実施形態４のメインビームの光出力の動作説明図、（ｂ）は本発明の実施形態４のサブビームの光出力の動作説明図、（ｃ）は本発明の実施形態４のメイン用ＶＶアンプ出力の動作説明図、（ｄ）は本発明の実施形態４のサブ用ＶＶアンプ出力の動作説明図
【図２１】（ａ）は本発明の実施形態４のメインビームの光出力の動作の別例説明図、（ｂ）は本発明の実施形態４のサブビームの光出力の動作の別例説明図、（ｃ）は本発明の実施形態４のメイン用ＶＶアンプ出力の動作の別例説明図、（ｄ）は本発明の実施形態４のサブ用ＶＶアンプ出力の動作の別例説明図
【図２２】本発明の実施形態４のパワーモニタ用検出器の説明図
【図２３】本発明の実施形態４の光源制御手段の別の構成図
【図２４】（ａ）は本発明の実施形態５のメインビームの光出力の動作説明図、（ｂ）は本発明の実施形態５のサブビームの光出力の動作説明図、（ｃ）は本発明の実施形態５のメイン用ＶＶアンプ出力の動作説明図、（ｄ）は本発明の実施形態５のサブ用ＶＶアンプ出力の動作説明図
【図２５】本発明の実施形態５の光源制御手段の構成図
【図２６Ａ】非ユーザデータの再生信号波形の一例を示す波形図
【図２６Ｂ】非ユーザデータの再生信号波形の他の例を示す波形図
【図２６Ｃ】非ユーザデータの再生信号波形の更に他の例を示す波形図
【図２７Ａ】従来の光記録再生装置の構成図
【図２７Ｂ】従来の光記録再生装置での光記録媒体上のスポットを示す図
【図２７Ｃ】従来の光記録再生装置の信号検出器の構成を示す図
【発明を実施するための形態】
【００４９】
１つの光源から記録用のメインビームと再生用のサブビームとを形成する従来技術の課題を回避するために、メインビームのための光源とサブビームのための光源を備え、それによってＤＲＡＷを実行することが考えられる。しかし、各光源は一般に近接して配置されるため、各光源からの光は重なった状態で光学系を伝播する。そのため、光学系のいずれかの位置に配置されるパワーモニタ用の素子にも各光源からの光が重なった状態で入射する。一方、ＤＲＡＷを行うには、各光源の光出力を独立に制御することが必要である。しかし、各光源からの光を分離して各々を独立に検出するには、特別な光学系を構成しなければならない。このことは、装置の構造の複雑化や大型化、高価格化を招く。また、光源の光出力情報の取得や光出力制御のために、ユーザデータの記録やＤＲＡＷを中断する時間が長くなると、装置のパフォーマンスが低下してしまう。
【００５０】
以下、図面を参照しながら、本発明に係る光記録再生装置の実施形態を説明する。
【００５１】
本発明の実施形態によれば、レーザアレイのような複数光源を用いた構成で、各光源からの光を分離する特別な光学系を用いることなく各光源からの光出力情報を取得して各々の光出力制御を行うことが可能になる。本発明の実施形態では、記録媒体の一部にユーザデータの記録を中断する「光出力制御用区間」を設け、その区間に非ユーザデータを記録する。光出力制御用区間の長さは、記録再生装置の記録容量および記録密度をほとんど低下させない程度に十分に短く設定され得る。なお、光出力制御用区間は、予め、記録媒体上に他の領域と区別して設けられている必要はない。光ピックアップを用いて信号を記録媒体に記録するとき、随時、または定期的に、光出力制御用区間を記録媒体上に設けることができる。
【００５２】
本発明の他の実施形態によれば、記録変調データに基づき生成したタイミング信号を用いて各光源の光出力情報を取得することにより、ユーザデータの記録やＤＲＡＷを中断することなく複数の光源の光出力制御を可能にすることができる。これらの実施形態により、簡便な構成で安定なＤＲＡＷ動作が可能である。
【００５３】
以下、本発明の実施形態を詳細に説明する。
【００５４】
（実施形態１）
まず、本発明の実施形態１における光記録再生装置を説明する。本実施形態における光記録再生装置は、光記録媒体として光テープを用いる光データストリーマ装置である。光データストリーマ装置は、大量のデータのバックアップに使用され得る。光データストリーマ装置は、転送レートを上げ、短時間でバックアップを行うため、複数の光ピックアップを具備している。なお、本発明の光記録再生装置は、光データストリーマ装置に限定されず、光ディスク装置または他の装置であってもよい。光ディスク装置の場合、光記録媒体は、光テープではなく、光ディスクである。
【００５５】
図１Ａは、光テープ１０５の一部を模式的に拡大して示す斜視図である。光テープ１０５は、例えばベースフィルム２０４ａ、ベースフィルム２０４ａの裏面に張り付けられたバックコート層２０４ｂ、およびベースフィルム２０４ａに支持されたインプリント層２０４ｃを含む。インプリント層２０４ｃの上面には、ランド２０４ｄおよびグルーブ２０４ｅが形成されている。図面には記載されていないが、インプリント層２０４ｃの上面を覆うように反射膜および記録材料膜が積層されている。光テープ１０５は、長尺方向Ｌに沿って延びており、例えば数百ｍの長さを有している。幅Ｗは、例えば数ｍｍから数ｃｍの範囲内に設定され得る。厚さは、数μｍから数十μｍ程度であり得る。
【００５６】
図１Ａのスケールは、現実の光テープ１０５のサイズを忠実に反映してない。実際の光テープ１０５には、数百本またはそれ以上の本数のランド２０４ｄおよびグルーブ２０４ｅが形成され得る。ある実施形態では、データがランド２０４ｄおよびグルーブ２０４ｅの一方に記録される。データが記録されるランド２０４ｄまたはグルーブ２０４ｅを「トラック」と称する。トラックのピッチは、例えば０．２〜０．４μｍの範囲に設定され得る。
【００５７】
図１Ｂは、光テープ１０５の一部を模式的に示す平面図である。長尺方向Ｌに沿ってＮ（Ｎは典型的には１００以上の整数）本のトラック０〜トラックＮが形成されている。図１Ｂに示されるトラックの幾つかには矢印が記載されている。この矢印は、データの記録方向を模式的に示している。１つの光テープ１０５には、異なる方向にデータが記録され得る。
【００５８】
光テープ１０５には、光ビームの照射によって光学的にマークが形成され得る。より具体的に言えば、このようなマークは記録材料膜に形成される。光ビームの照射は、光源と、この光源から出射された光ビームを光テープ１０５にフォーカスさせる対物レンズとを含む「光ピックアップ」によって行われる。光ピックアップが光テープ１０５に光ビームを照射すると、光テープ１０５上の照射領域と他の領域（非照射領域）との間で、屈折率などの光学特性が変化する。このようにして光学特性が変化した領域を「記録マーク」と称する。
【００５９】
光テープ１０５に記録されているデータは、比較的弱い一定強度の光ビームを光記録媒体に照射し、光テープ１０５によって変調された反射光を検出することによって再生される。光テープ１０５にデータを記録する場合、記録すべきデータに応じて光パワーを変調したパルス状の光ビームを光テープ１０５に照射し、それによって記録材料膜の特性を局所的に変化させることによってデータの書き込みを行う。
【００６０】
記録材料膜にデータを記録するとき、上述のように光パワーを変調した光ビームを記録材料膜に照射することより、結晶質の記録材料膜に非晶質の記録マークを形成する。この非晶質の記録マークは、記録用光ビームの照射を受けた記録材料膜の一部が融点以上の温度に上昇した後、急速に冷却されることによって形成される。光ビームを記録マークに照射するときの光パワーを低めに設定すると、光ビームが照射された記録マークの温度は融点を超えず、急冷後に結晶質に戻る（記録マークの消去）。こうして、記録マークの書き換えを何度も行うことが可能になる。データを記録するときの光ビームの光パワーの大きさが不適切であると、記録マークの形状が歪み、データを再生することが難しくなることがある。
【００６１】
光テープ１０５に対してデータの記録または再生を行うとき、光ビームが目標トラック上で常に所定の集束状態となる必要がある。このためには、「フォーカス制御」および「トラッキング制御」が必要となる。「フォーカス制御」は、光ビームの焦点（集束点）の位置が常に目標トラック上に位置するように対物レンズの位置を光テープ１０５の表面（記録面）に垂直な方向に制御することである。一方、トラッキング制御とは、光ビームのスポットが所定のトラック上に位置するように対物レンズの位置を光テープ１０５の記録面に平行であってトラックに垂直な方向に制御することである。
【００６２】
上述したフォーカス制御およびトラッキング制御を行うためには、光テープ１０５から反射される光に基づいて、フォーカスずれやトラックずれを検知し、そのずれを縮小するように光ビームスポットの位置を調整することが必要である。フォーカスずれおよびトラックずれの大きさは、それぞれ、光テープ１０５からの反射光に基づいて生成される「フォーカス誤差（ＦＥ）信号」および「トラッキング誤差（ＴＥ）信号」によって示される。
【００６３】
図２Ａは、本実施形態による光データストリーマ装置の構成例を示す図である。図２Ｂは図２ＡのＢ−Ｂ線断面図である。本実施形態では、図２Ａの上側が鉛直上方であり、下側が鉛直下方に対応している。このため、図２Ｂは、この光データストリーマ装置を鉛直上方から見た内部構成の配置例を示している。
【００６４】
図２Ａおよび図２Ｂは、光テープ１０５を収容するテープカートリッジ１０１が装填された状態を示している。テープカートリッジ１０１は着脱可能であり、図示される光データストリーマ装置には、同じ形状を有する複数のテープカートリッジ１０１から選択された１つが装填され得る。
【００６５】
本実施形態の光データストリーマ装置は、筐体１１１と、筐体１１１の内部に設けられたシャーシ１１０と、光テープ１０５にデータを書き込むことができるように配置された複数のピックアップ部品６０と、放熱板１０９とを備えている。複数のピックアップ部品６０は光ピックアップアセンブリ６００が備える位置決め機構によって位置決めされている。
【００６６】
より詳細には、この光データストリーマ装置は、光テープ１０５を走行させるためのモータ１０６、１０７、ガイドポスト１０３、および巻取リール１０２を備えている。モータ１０７は、巻取リール１０２と機械的に結合しており、巻取リール１０２を回転させる。モータ１０６は、装填されたテープカートリッジ１０１の回転軸と機械的に結合し、テープカートリッジ１０１の外部に引き出されたテープ１０５をテープカートリッジ１０１内に巻き戻すように動作する。モータ１０６、１０７により、テープ１０５は、矢印で示す２つの方向のいずれにも走行することができる。
【００６７】
光ピックアップアセンブリ６００は、光テープ１０５の走行方向に沿って配列された複数のピックアップ部品６０を有している。本実施形態における光ピックアップアセンブリ６００は、上段および下段の各々に複数のピックアップ部品６０を有している。筐体１１１内には、送風ファン１０８が設けられており、送風ファン１０８はモータ１０７に機械的に結合している。モータ１０７の回転に応じて送風ファン１０８も回転する。
【００６８】
各ピックアップ部品６０は、１個または複数の光ピックアップを内蔵する。個々の光ピックアップの構成については、後に詳しく説明する。ピックアップ部品６０は、光ピックアップ用フレキシブル回路基板（ＦＰＣ）１１２に接続されている。この光データストリーマ装置は、このフレキシブル回路基板１１２に接続された不図示の回路基板を備えており、この回路基板には、ピックアップ部品６０やモータ１０６、１０７を制御するための回路要素が設けられている。なお、フレキシブル回路基板１１２には、通常であればピックアップ部品６０および他の回路基板上に搭載されるような回路の一部が実装されていてもよい。
【００６９】
次に図３を参照して、本実施形態における光データストリーマ装置の回路構成例を説明する。
【００７０】
図示されている光データストリーマ装置は、光ピックアップアセンブリ６００およびモータ１０６、１０７と電気的に接続された回路ブロックを備えている。
【００７１】
図３に示す構成例では、光ピックアップアセンブリ６００の出力がフロントエンド信号処理部１３０６を介してエンコーダ／デコーダ１３０８に送られる。エンコーダ／デコーダ１３０８は、データ読み出し時、光ピックアップアセンブリ６００によって得られる信号に基づいて光テープ１０５に記録されているデータを復号する。データ書き込み時、エンコーダ／デコーダ１３０８はデータを符号化し、光テープ１０５に書き込むべき信号を生成し、光ピックアップアセンブリ６００に送出する。
【００７２】
フロントエンド信号処理部１３０６は、光ピックアップアセンブリ６００の出力に基づいて再生信号を生成する一方、フォーカス誤差信号ＦＥやトラッキング誤差信号ＴＥを生成する。フォーカス誤差信号ＦＥやトラッキング誤差信号ＴＥは、サーボ制御部１３１０に送出される。サーボ制御部１３１０は、ドライバアンプ１３０４を介してモータ１０６、１０７を制御する一方、光ピックアップアセンブリ６００内の各レンズアクチュエータを介して対物レンズの位置を制御する。エンコーダ／デコーダ１３０８およびサーボ制御部１３１０などの構成要素は、ＣＰＵ１３０９によって制御される。図３に示されるブロックは、例えば集積回路素子およびメモリなどの電子部品を回路基板上に搭載して実現することができる。
【００７３】
本実施形態で使用され得る光テープ１０５の記録面の幅は、例えば約１０ｍｍである。この場合、例えば２４個の光ピックアップによって、走行中の光テープ１０５の記録面の全幅に渡って、データの記録および再生が行われ得る。
【００７４】
テープカートリッジ１０１が光データストリーマ装置に装填される前、光テープ１０５はテープカートリッジ１０１に、図示しないリールに巻かれた状態で収納されている。テープカートリッジ１０１が光データストリーマ装置に装填されると、光テープ１０５は複数のテープガイドポスト１０３に案内されて引き出され、巻取リール１０２に巻き取られる。各ピックアップ部品６０は光テープ１０５に対し所定の位置に固定され、光テープ１０５に対して情報の記録再生を行う。本実施形態における光ピックアップの個数は２４個である。このため、最大２４個の光ピックアップによって同時にデータの記録再生を行うことが可能である。なお、１つの光データストリーマ装置が備える光ピックアップの個数は、２４個に限定されず、この数よりも少なくても多くてもよい。
【００７５】
送りモータ１０７は巻取リール１０２を回転駆動し、光テープ１０５を順方向に走行させるとともに、送風ファン１０８を駆動する。逆送りモータ１０６はテープカートリッジ１０１内の図示しないリールを回転駆動し、光テープ１０５を逆方向に駆動する。この際にも、光テープ１０５により巻取リール１０２も駆動されるため送風ファン１０８も駆動される。ピックアップ部品６０は放熱板１０９と熱的に結合され、その発生する熱は放熱板１０９に伝達される。
【００７６】
記録時または再生時、光テープ１０５は順送りモータ１０７、または逆送りモータ１０６により、順方向または逆方向に走行し、この間、各光ピックアップは光テープ１０５に対し同時に記録または再生を行うことができる。
【００７７】
以下、本実施形態における光学系の構成を説明する。
【００７８】
図４は、本実施形態の光記録再生装置における光学系の構成を示す図である。
【００７９】
まず、この光記録再生装置の概略構成を説明する。図示されている光記録再生装置は、第１の光源１および第２の光源２と、第１の光源１から出射された記録用ビーム、および第２の光源２から出射された再生用ビームを光テープ１０５に集束する光学系を備える。この光学系は、光テープ１０５の同一箇所を再生用ビームより先行して記録用ビームで走査するよう記録用ビームおよび再生用ビームを光テープ１０５上に集束する。
【００８０】
本実施形態の光記録再生装置は、記録用および再生用ビームの光テープ１０５による反射光を検知して電気信号を生成する信号検出用検出器１０と、第１の光源１および第２の光源２の光出力をモニタするパワーモニタ用検出器１２と、第１の光源１および第２の光源２の光出力を制御し、記録用ビームを用いて光テープ１０５に信号マークを形成するように第１の光源１の光出力を変調する光源制御部１１とを備える。
【００８１】
光源制御部１１は、光テープ１０５上へのユーザデータの記録を一時中断する光出力制御用区間において、非ユーザデータを光テープ１０５に記録し、かつ、非ユーザデータの記録中に第２の光源２の発光を停止する。パワーモニタ用光検出器１２は、第２の光源２の発光が停止している間に第１の光源１の光出力情報を取得する。
【００８２】
本明細書において、「非ユーザデータ」とは、番地データ（アドレス情報）、同期信号、テストマーク、目印マークを含む。番地データは、トラック上の位置を示す情報を有する。同期信号は、例えば、光テープ１０５の走査速度に合わせて信号検出用検出器１０の内部クロックを生成するために使用され得る。前もって番地データおよび／または同期信号が形成されていない光テープ１０５（プリフォーマットされていない光記録媒体）では、ユーザデータを記録するために光テープ１０５を走行させるときに、番地データおよび／または同期信号を光テープ１０５上に記録することが効率的である。ユーザデータを記録する前に、番地データおよび／または同期信号を光テープ１０５上に記録しておくためには、そのためだけに時間をかけて長い光テープ１０５を走行させる必要があるからである。なお、テストマークは、例えば、記録用ビームの光出力を最適化するためのテスト記録を行う際に形成されるマークである。一方、目印マークは、例えば、光テープ１０５を通常の再生時より高速に走行させた場合にも検出できるマーク（あるいはブランク）である。目印マークを一定の間隔で配置したり、番地データの前後に配置することにり、所望のアドレスやユーザデータへのアクセスの高速化が図れる。
【００８３】
図４に示されるように、光源１、２を出射した光の大部分は偏光ビームスプリッタ３を通過し、コリメートレンズ４にて略平行光束へと変換される。さらに、波長板５を経て円偏光となり、対物レンズ６により集光されて光テープ１０５の情報記録層上にそれぞれ集光スポットを形成する。以降、光源１から出射された光をメインビーム、光源１から出射された光による集光スポットをメインスポット、光源２から出射された光をサブビーム、光源２から出射された光による集光スポットをサブスポットと呼ぶ。尚、前述したように、メインスポットは光テープ１０５の同一箇所に対して、サブスポットよりも先行して通過するように配置されている。
【００８４】
光テープ１０５で反射された光は対物レンズ６、波長板５を経て往路と直交する直線偏光に変換される。その後、波長板５を出た直線偏光は、偏光ビームスプリッタ３で反射されて検出レンズ８にて非点収差を与えられ検出器９に入射する。
【００８５】
図５は検出器９のメインビーム受光部１３、サブビーム受光部１４と信号検出用検出器１０のブロック図である。メインビーム受光部１３、サブビーム受光部１４に入射した光は、信号検出用検出器１０における論理部１０ａ〜１０ｃにおいて各々メインスポットの再生信号、サブスポットの再生信号の生成に使用される他、メイン、サブスポットのフォーカス、トラッキング制御用信号の生成にも使用される。フォーカス、トラッキング制御用信号の検出や記録マーク信号の検出方法については既に各種方式が公知であるため、その説明は省略する。
【００８６】
一方、光源１、２を出射し、偏光ビームスプリッタ３で反射された一部の光はパワーモニタ用検出器１２へと入射する。パワーモニタ用検出器１２で生成されたモニタ信号は光源制御部１１へと送られ、光テープ１０５へマークを形成するためのメインビームの光変調制御が行われる。一方、信号検出用検出器１０で得られるサブスポットの再生信号情報を用いてサブビームの再生パワー制御が行われる。
【００８７】
図６はパワーモニタ用検出器１２を偏光ビームスプリッタ３側から見た図である。光源１からの光１６、光源２からの光１７はパワーモニタ用検出器１２の受光素子１５に重なった状態で入射する。
【００８８】
図７（ａ）は光テープ１０５のある箇所の記録状態を、図７（ｂ）はその場所を走査した時のメインスポット、サブスポットの状態を示している。図７（ａ）は、１つのトラックの一部、具体的には１つの光出力制御用区間Ｔｃと、その前後に位置するユーザデータを記録する領域の一部とを示している。この例では、光テープ１０５は図７の矢印Ｖの方向に移動している。光テープ１０５を基準にすると、光テープ１０５上に形成される光スポットは、矢印Ｖの方向とは反対の方向（図中の右方向）に移動することになる。図７（ｂ）は、光テープ１０５の図７（ａ）のトラック上に形成される光スポットが時間の経過に伴ってトラック上を移動する様子を模式的に示している。図７（ｂ）では、便宜上、光テープ１０５を固定し、その上を光スポットが移動する様子を記載している。図７（ｂ）に記載されているグレイの円は、メインスポットＭまたはサブスポットＳの位置を示している。図７（ｂ）では、時間軸が垂直下方に延びている。時間の経過に伴ってメインスポットＭまたはサブスポットＳは、光テープ１０５上を右方向に移動する。これは、光テープ１０５が左方向に走行しているからである。このことは、後に参照する図１１、１３、１６および１７でも同様である。
【００８９】
まず、時刻ｔ１より以前はメインスポットＭの光源１およびサブスポットＳの光源２は、ともに点灯した状態で、メインスポットはユーザデータを記録し、その記録直後のマークをサブスポットが再生するＤＲＡＷ動作を行っている。図７（ｂ）の時刻ｔ１までは、ある線分を挟んで２つの円が記載されている。この円は、それぞれ、サブスポットＳおよびメインスポットＭである。サブスポットＳおよびメインスポットＭは、時間の経過に伴って、図中の右方向に移動している。
【００９０】
次に、ｔ１の時点でサブスポットＳの光源２を消灯するとともに、メインスポットＭによるユーザデータの記録を中断し、非ユーザデータの記録を開始する。そして、ｔ１からｔ２までの間はサブスポットＳの光源２を消灯したまま、非ユーザデータの記録を行う。ｔ２から再びサブスポットＳの光源２を点灯し、メインスポットＭによるユーザデータの記録を再開する。
【００９１】
ここで、ｔ１からｔ２までの間は、光テープ１０５上へのユーザデータの記録を一時中断する光出力制御用区間Ｔｃに相当する。図７の例では、光出力制御用区間Ｔｃにおいて、光源１の出力モニタ情報を取得する。この光源１の出力モニタ情報を取得するための区間をＴｃ１とする。図７の例では、Ｔｃ１＝Ｔｃであるが、Ｔｃ１≦Ｔｃが成立すればよい。
【００９２】
なお、図７（ａ）において、「可」と書かれている範囲は、ＤＲＡＷが可能な範囲を意味している。
【００９３】
このときのメインビームの光出力の時間変化を図８（ａ）に、サブビームの光出力の時間変化を図８（ｂ）に、パワーモニタ用検出器１２の出力を図８（ｃ）に示す。図８（ａ）には、ゼロレベルＰ０を基準にして、ボトムレベルＰｂ、バイアスレベル（消去レベル）Ｐｅ、ピークレベル（書き込みレベル）Ｐｗの３段階で光出力が変化する波形（光源１の変調信号の波形）が示されている。１つの記録マークを形成するため、ピークレベルにある複数の光パルスの列が用いられる。図８（ａ）に示されるように、記録モードにおいて、メインビームの光出力は変調されるが、サブビームの光出力は再生レベルに保持される。メインビームの光出力の変調は、例えばＤＶＤまたはブルーレイディスク技術で採用されている「ライトストラテジー」に従って行われ得る。この例では、メインビームの光出力は３値のレベルで変化しているが、２値のレベルで変化してもよい。光源１の変調信号は２値以上の矩形波で構成され得る。光源１の変調は、例えば、図４の光源制御部１１における、光源１のための光出力制御部によって実行される。
【００９４】
光出力制御用区間であるｔ１からｔ２の間のサブビームの光源２は消灯しているため、パワーモニタ用検出器１２の出力はメインビームの成分のみになる。そこで、このｔ１からｔ２の区間でメインビームのパワーモニタ情報を取得し、得られた情報を用いて、その後のメインビームの光出力制御を行う。前述したように、光出力制御用区間に番地データまたは同期信号を記録すると、前もってそれらのデータまたは信号が記録されていない光記録媒体を用いる場合に効率的である。
【００９５】
図２６Ａは、光出力制御用区間に同期信号を記録した場合の再生信号波形の例を示している。図２６Ｂは、光出力制御用区間に番地データを記録した場合の再生信号波形の例を示している。図２６Ｃは、光出力制御用区間に番地データおよび同期信号を記録した場合の再生信号波形の例を示している。同期信号は、図からわかるように、一定の周期で規則的に変動する波形を有している。
【００９６】
図９に光源制御部１１における光源１の光出力制御部のブロック図を示す。モニタ信号はサンプルホールド回路（ＳＨ回路）１８、１９、２０へと入力され、サンプルホールドタイミング生成ブロック（ＳＨタイミング生成）２１によって出力される、メインビームの光出力がボトムレベル（Ｐｂレベル）、バイアスレベル（Ｐｅレベル）、ピークレベル（Ｐｗレベル）となっている各タイミングにサンプルホールド回路１８、１９、２０はオンされ、各レベルのモニタ信号を取得する。差動アンプ２２、２３、２４を用いて取得した各レベルのモニタ信号がそれぞれの目標値、つまりボトムレベル目標値（Ｐｂレベル目標値）２５、バイアスレベル目標値（Ｐｅレベル目標値）２６、ピークレベル目標値（Ｐｗレベル目標値）２７と一致するように光源１の各電流ドライバ２８、２９、３０が制御される。ここで、スイッチ３１、３２、３３の開閉は、レーザ駆動出力タイミング生成ブロック３４によって制御される。レーザ駆動出力タイミング生成ブロック３４の動作は、例えば図３に示すエンコーダ／デコーダ１３０８から出力される信号に基づいている。光源１の光出力（メインビームの光出力）は、スイッチ３１、３２、３３の開閉により、例えば図８（ａ）に示されるように変調される。レーザ駆動出力タイミング生成ブロック３４の働きにより、メインビームによって光テープ１０５上に種々の記録マークを形成することができる。その結果、ユーザデータのみならず、番地データや同期信号を光テープ１０５に記録することもできる。
【００９７】
光源制御部１１の構成要素のうち、各電流ドライバ２８、２９、３０、スイッチ３１、３２、３３およびタイミング生成ブロック３４は、光ピックアップ内に設けられ得る。一方、サンプルホールド回路１８，１９、２０および差動アンプ２２、２３、２４は、光ピックアップの外部（例えば図３のサーボ制御部１３１０内）に設けられ得る。
【００９８】
一方、光源２は図１０に示すように信号検出用検出器１０の論理部１０ｃから得られるサブビーム再生信号を検波器３６で検波し、差動アンプ３７を用いて再生信号の振幅が目標の振幅３８となるように電流ドライバ３９を駆動することにより光出力を制御することが可能である。
【００９９】
本構成により、近接した複数の光源から出射された光が重なった状態でパワーモニタ用検出器１２に入射しても、各光源の光出力を制御することが可能となる。
【０１００】
図７では、トラック上で記録されたユーザデータと非ユーザデータとを近接して図示したが、ユーザデータと非ユーザデータの間や非ユーザデータ間に未記録（ブランク）領域を設けて目印としてもよい。
【０１０１】
また、非ユーザデータとして、番地データ以外のデータまたは信号を記録する場合、図１１に示すように、ユーザデータと非ユーザデータとの間に番地データを記録しても良い。このように、光出力制御用区間と番地データ区間とを連続させることにより、ユーザデータの中断箇所を少なく抑えることができ、光記録媒体のデータ構造をシンプルにできる。あるいは、番地データにＤＲＡＷが必要なければ、前述のように非ユーザデータとして番地データを記録してもよい。図１１では非ユーザデータ記録後のユーザデータ記録再開前の区間に番地データを設ける例を示したが、ユーザデータ記録中断から非ユーザデータ記録までの区間に設けてもよい。
【０１０２】
図７に示すようなデータ配置にし、かつ、メインスポットＭとサブスポットＳとの間隔が非ユーザデータ区間Ｔｃの長さよりも短い場合、非ユーザデータの記録を終了してからサブスポットＳが非ユーザデータ領域を抜けるまでの区間（ｔ２〜ｔ３の区間）は、記録した非ユーザデータに対するＤＲＡＷが可能である。このため、この区間を番地データ用とすることでデータを効率的に格納することもできる。
【０１０３】
さらに、この光出力制御用のパワーモニタ信号の取得頻度について考えてみる。光源として一般的な半導体レーザは、温度により駆動電流と光出力との関係が変化するものが多いため、パワーモニタ信号を周期的に取得し、その都度、光出力制御にフィードバックしてくことが望ましい。ただし、その際にはユーザデータの記録を一時中断する必要があるため、全体のユーザデータ容量をあまり損なわない程度の頻度に設定することが望ましい。ここで、パワーモニタ信号の取得周期をＴとし、ｔ１からｔ２までの時間をｔとして具体的なＴとｔの値について考えてみる。一般にレーザのＡＰＣ（オートパワーコントロール）制御では制御帯域は数ＫＨｚから数十ＫＨｚで実現されている。この帯域があれば、前述のレーザの光出力の温度依存性は十分に抑制でき、安定な光出力を得ることができる。また、制御用の回路手段も豊富に選択できる。このときの光出力の整定時間は数ｍｓオーダーとなるため、周期Ｔとしてはこれよりも大きな値が適当である。ただし、あまり長い周期だと、レーザの光出力の温度依存性を抑制できないため、数十ｍｓから数百ｍｓの範囲が適当である。そこで、仮にここではＴを５０ｍｓとおいて、モニタデータ取得時間の実用性とユーザデータのロスとのバランスを両立できるｔの値を考えてみる。ＤＶＤやブルーレイディスクといった現在一般に供されている光記録再生システムにおいて、記録光変調波形の各レベルの出現頻度やサンプリングの精度を考慮し、５００μｓという値を考えてみる。この値はＤＶＤやブルーレイディスクのシステムでは記録光変調波形の各レベルをサンプリングするには実用的、かつ十分余裕のある値である。このときのユーザデータのロスは５０ｍｓ中の５００μｓとなるため１％ということになる。これは十分実用的な値といえる。この例におけるＴ／ｔは１００であるが、システムが許容する範囲で１００より大きい値を設定して、よりユーザデータのロスを少なくしてもよい。
【０１０４】
（実施形態２）
図１２は本発明の実施形態２における光記録再生装置の光学系構成を示す図である。
【０１０５】
図１２において光源１、２を出射した光の大部分は偏光ビームスプリッタ３を通過し、コリメートレンズ４にて略平行光束へと変換される。さらに、波長板５を経て円偏光となり、対物レンズ６により集光されて光テープ１０５の情報記録層上にそれぞれ集光スポットを形成する。以降、光源１から出射された光をメインビーム、光源１から出射された光による集光スポットをメインスポット、光源２から射された光をサブビーム、光源２から出射された光による集光スポットをサブスポットと呼ぶ。尚、メインスポットは光テープ１０５の同一箇所に対して、サブスポットよりも先行して通過するように配置されている。
【０１０６】
光テープ１０５で反射された光は対物レンズ６、波長板５を経て往路と直交する直線偏光に変換され偏光ビームスプリッタ３で反射されて検出レンズ８にて非点収差を与えられ検出器９に入射する。図５に検出器９のメインビーム受光部１３、サブビーム受光部１４と信号検出用検出器１０のブロック図を示す。メインビーム受光部１３、サブビーム受光部１４で受光した光は各々メインスポットの再生信号、サブスポットの再生信号として使用される他、メイン、サブスポットのフォーカス、トラッキング制御用信号として使用される。フォーカス、トラッキング制御用信号の検出や記録マーク信号の検出方法については既に各種方式が公知であるため説明は省略する。
【０１０７】
一方、光源１、２を出射し、偏光ビームスプリッタ３で反射された一部の光はパワーモニタ用検出器１２へと入射する。パワーモニタ用検出器１２で受光したモニタ信号は光源制御部１１へと送られ、光源１、２の光出力制御に使用される。パワーモニタ用検出器１２には光源１、２からの光が重なった状態で入射する。
【０１０８】
図１３（ａ）は光テープ１０５のある箇所の記録状態を、図１３（ｂ）はその場所を走査した時のメインスポットＭ、サブスポットＳの状態を示している。
【０１０９】
まず、時刻ｔ１より以前はメイン、サブスポットの光源１、２ともに点灯した状態で、メインスポットＭによるユーザデータを記録し、その記録直後のマークをサブスポットＳで再生するＤＲＡＷ動作を行っている。次に、ｔ１の時点でサブスポットＳの光源２を消灯するとともに、メインスポットＭによるユーザデータの記録を中断し、前述の非ユーザデータの記録を開始する。そして、ｔ１からｔ２までの間はサブスポットＳの光源２を消灯したまま、非ユーザデータの記録を行う。時刻ｔ２の時点で今度は逆にメインスポットＭの光源１が消灯し、サブスポットＳの光源２が点灯する。このため、時刻ｔ２におけるメインスポットＭの位置から「未記録部分」が開始する。サブスポットＳは、時刻ｔ３において、未記録部分の開始位置に達する。そして、時刻ｔ４の時点で再びメインスポットＭの光源１が点灯し、ユーザデータの記録を再開する。ｔ１からｔ２までの間は、メインビームのパワーモニタ情報を取得するための区間Ｔｃ１に相当する。
【０１１０】
このときのメインビームの光出力の時間変化を図１４（ａ）に、サブビームの光出力の時間変化を図１４（ｂ）に、パワーモニタ用検出器の出力を図１４（ｃ）に示す。ここでｔ１からｔ２の間のサブビームは消灯しているため、パワーモニタの出力はメインビームの成分のみになる。そこで、このｔ１からｔ２の区間でメインビームのパワーモニタ情報を取得し、得られた情報を用いてその後のメインビームの光出力制御を行う。そして、ｔ２からｔ４の区間は逆にメインビームが消灯し、サブビームの光源２が点灯しているため、このｔ２からｔ４の区間のサブビームのパワーモニタ情報を取得し、得られた情報を用いてその後のサブビームの光出力制御を行う。すなわち、ｔ２からｔ４までの間は、サブビームのパワーモニタ情報を取得するための区間Ｔｃ２に相当する。この例では、図１３に示されるように、光出力制御用区間Ｔｃの中に、メインビームのパワーモニタ情報を取得するための区間Ｔｃ１と、サブビームのパワーモニタ情報を取得するための区間Ｔｃ２とが含まれる。
【０１１１】
本実施形態においても、光源１の光出力制御は、実施形態１と同様に、図９に示される光源制御部１１によって行われ得る。モニタ信号はサンプルホールド回路１８、１９、２０へと入力され、メインビームの光出力がボトムレベル（Ｐｂレベル）、バイアスレベル（Ｐｅレベル）、ピークレベル（Ｐｗレベル）となっている各タイミングにサンプルホールド回路（ＳＨ回路）１８、１９、２０はオンされ、各レベルのモニタ信号を取得する。取得した各レベルのモニタ信号がそれぞれの目標値と一致するように光源１の各電流ドライバが制御される。
【０１１２】
一方、光源２は図１５に示すような光源制御部１１内の回路ブロックにより、ｔ２からｔ４の区間のパワーモニタ信号を取得し、得られた情報を用いてその後のサブビームの光出力制御を行う。
【０１１３】
本構成においても、近接した複数の光源から出射された光が重なった状態でパワーモニタ用検出器１２に入射しても、各光源の光出力を制御することが可能となる。本構成であれば、メインビームとサブビームのそれぞれのパワーモニタ信号を取得できるため、より高精度で安定な光出力の制御が実現できる。
【０１１４】
また、光出力制御用区間内にはメインビームが消灯する区間があるため未記録部が生じる。これはユーザデータ中断の目印として有効に使用される。
【０１１５】
尚、サブビームを消灯した光源１の出力モニタ情報の取得と、メインビームを消灯した光源２の出力モニタ情報の取得は必ずしも連続して行う必要はないが、ユーザデータ記録の中断時間をできるだけ短くするには連続取得動作が有効である。
【０１１６】
図１３では光出力制御用区間直前のユーザデータと非ユーザデータを近接して図示したが、ユーザデータと非ユーザデータの間や非ユーザデータ間に未記録（ブランク）領域を設けて目印としてもよい。
【０１１７】
また、図１６に示すように光出力制御用区間Ｔｃに続けて番地データを記録してもよい。このように、光出力制御用区間Ｔｃと番地データ区間を連続させることにより、ユーザデータの中断箇所を少なく抑えることができ、光記録媒体のデータ構造をシンプルにできる。あるいは、番地データにＤＲＡＷが必要なければ、非ユーザデータに番地データを記録してもよい。図１６では未記録部とユーザデータ再開までの間に番地データを設ける例を示したが、ユーザデータ記録中断から非ユーザデータ記録までの区間に設けてもよい。
【０１１８】
図１６に示すようなデータ配置にし、かつ、メインスポットとサブスポットの間隔が非ユーザデータ区間の長さよりも短い場合、非ユーザデータの記録を終了してからサブスポットが非ユーザデータ領域を抜けるまでの区間（ｔ２〜ｔ３の区間）は記録した非ユーザデータに対するＤＲＡＷが可能であるため、この区間を番地データとすることでデータを効率的に格納することもできる。
【０１１９】
また、図１７に示すように光出力制御用区間では先にメインビームの光源１を消灯してサブビームのパワーモニタ情報を取得し、その後にメインビームの光源１を点灯、サブビームの光源２を消灯してメインビームもパワーモニタ情報を取得してもよい。非ユーザデータを同期信号とした場合、このような配列とすることにより、光出力制御用区間（Ｔｃ）終了後の番地データやユーザデータのＤＲＡＷを再開する際の同期を取ることが可能となる。この場合も、メインスポットとサブスポットの間隔が非ユーザデータ区間の長さよりも短かければ、ｔ３〜ｔ４の区間はＤＲＡＷが可能である。
【０１２０】
本例においても、パワーモニタ信号の取得周期Ｔとｔ１〜ｔ４までの時間ｔとの関係をＴ／ｔ≧１００と設定することによりユーザデータのロスを実用的なレベルに抑えることが可能である。
【０１２１】
（実施形態３）
次に、本発明の実施形態３における光記録再生装置について説明する。
【０１２２】
光学系は図１２に示す構成である。図１２において光源１、２を出射した光の大部分は偏光ビームスプリッタ３を通過し、コリメートレンズ４にて略平行光束へと変換される。さらに、波長板５を経て円偏光となり、対物レンズ６により集光されて光テープ１０５の情報記録層上にそれぞれ集光スポットを形成する。以降、光源１から出射された光をメインビーム、光源１から出射された光による集光スポットをメインスポット、光源２から射された光をサブビーム、光源２から出射された光による集光スポットをサブスポットと呼ぶ。尚、メインスポットは光テープ１０５の同一箇所に対して、サブスポットよりも先行して通過するように配置されている。
【０１２３】
光テープ１０５で反射された光は対物レンズ６、波長板５を経て往路と直交する直線偏光に変換され偏光ビームスプリッタ３で反射されて検出レンズ８にて非点収差を与えられ検出器９に入射する。図５に検出器９のメインビーム受光部１３、サブビーム受光部１４と信号検出用検出器１０のブロック図を示す。メインビーム受光部１３、サブビーム受光部１４で受光した光は各々メインスポットの再生信号、サブスポットの再生信号として使用される他、メイン、サブスポットのフォーカス、トラッキング制御用信号として使用される。フォーカス、トラッキング制御用信号の検出や記録マーク信号の検出方法については既に各種方式が公知であるため説明は省略する。
【０１２４】
一方、光源１、２を出射し、偏光ビームスプリッタ３で反射された一部の光はパワーモニタ用検出器１２へと入射する。パワーモニタ用検出器１２で受光したモニタ信号は光源制御部１１へと送られ、光源１、２の光出力制御に使用される。パワーモニタ用検出器１２には光源１、２からの光が重なった状態で入射する。
【０１２５】
図１８（ａ）、（ｂ）は記録中のメインビームとサブビームの光出力の時間経過を示した図である。メインビームの出力レベルはボトムレベル（Ｐｂレベル）、バイアスレベル（Ｐｅレベル）、ピークレベル（Ｐｗレベル）の３値を時間と共に高速に切り替えて、長さの違うマークを光記録媒体上に記録する。一方のサブビームの光出力は再生レベルの固定出力に制御される。このようにメインビームの光源１とサブビームの光源２が発光しているときのパワーモニタ用検出器１２のモニタ出力は、図１８（ｃ）に示すようにメインビームの波形とサブビームの波形とを足し合わせた波形が得られ、得られたモニタ信号は光源制御部１１に送られる。
【０１２６】
本実施形態においても、光源１の光出力制御は、実施形態１と同様に、図９に示される光源制御部１１によって行われ得る。モニタ信号はサンプルホールド回路１８、１９、２０へと入力される。メインビームの光出力がボトムレベル（Ｐｂレベル）、バイアスレベル（Ｐｅレベル）、ピークレベル（Ｐｗレベル）のタイミングにサンプルホールド回路（ＳＨ回路）１８、１９、２０はオンされ、各レベルのモニタ信号を取得する。取得した各レベルのモニタ信号が各目標値と一致するように光源１の電流ドライバが制御される。ここで、各レベルのモニタ信号にはサブビームの成分が一律加算されているため、各目標値からサブビームの成分を減算しておけばよい。減算する量はあらかじめ装置に記憶させておけばよい。
【０１２７】
一方、光源２の光出力はボトムレベル（Ｐｂレベル）のタイミングにサンプルホールド回路４０がオンされ、ボトムレベル（Ｐｂレベル）のモニタ信号を取得する。取得したモニタ信号が目標値と一致するように光源２の電流ドライバが制御される。ここでのモニタ信号にはメインビームの成分が加算されているため、目標値からメインビームの成分を減算しておけばよい。減算する量はあらかじめ装置に記憶させておけばよい。
【０１２８】
各サンプルホールドのタイミングは光源制御部１１の内部、もしくは、図示しない光記録再生装置の演算処理ブロックで生成される記録変調信号から得ることができる。一般的な記録変調波形は、再生レベル、ボトムレベル、バイアスレベル、ピークレベルの各チャネルの出力信号から選択された信号を適切なタイミンクで足し合わせて生成され得る。
【０１２９】
足し合わせのタイミングを規定する信号は、光源制御部１１または演算処理ブロックで生成するため、そこから光出力が各レベルとなるタイミングを抽出することができる。
【０１３０】
図１８の例ではメインビームのボトムレベル（Ｐｂレベル）とサブビームの再生レベルのパワーモニタ出力が比較的近いレベルのため、サブビーム用のサンプリングとしてはボトムレベル（Ｐｂレベル）のタイミングが精度的に好ましい。しかし、バイアスレベル（Ｐｅレベル）の方が出現頻度が高く、サンプリングに対して有利であればバイアスレベル（Ｐｅレベル）のタイミングでサブビームのパワーモニタ出力をサンプリングしてもよい。あるいは、記録変調波形にバイアスレベル（Ｐｅレベル）以外の比較的サブビーム成分に近いレベルが存在すれば、そのタイミングでサンプリングしてもよい。（例えば、クーリングパルスなど）サンプリングの精度を確保するために、サンプリングするレベルでの発光が所定の時間以上継続するときにのみサンプリングがオンするように設定することも有用である。
【０１３１】
本構成であれば、複数の光源を点灯させたままの状態で光出力の制御を行うことが可能となる。即ち、ＤＲＡＷ動作を途切れさせることなく光源の光出力制御が可能となる。
【０１３２】
（実施形態４）
図１９は本発明の実施形態４における光記録再生装置のパワーモニタ用検出器１２と光源制御部１１のブロック図である。
【０１３３】
光源１、２から出射した光はパワーモニタ用検出器１２の受光素子１５に重なって入射する。受光した光電流はＩＶアンプ４４にて電圧変換されＶＶアンプ４８、４９へと送られる。ＶＶアンプ４８、４９はそれぞれ個別のゲインが設定されている。ＶＶアンプ４８の出力は光源制御部１１のメインビームの光出力制御ブロックへと入力され、ボトム（Ｐｂ）、バイアス（Ｐｅ）、ピーク（Ｐｗ）の各レベルのパワーモニタ信号の取得と光源１用の電流ドライバの制御に使用される。ＶＶアンプ４９の出力は光源制御部１１のサブビームの光出力制御ブロックへと入力され、再生レベルの取得と光源２用の電流ドライバの制御に使用される。
【０１３４】
図２０にメインビーム（図２０（ａ））と、サブビームの光出力（図２０（ｂ））と、ＶＶアンプ４８出力波形（図２０（ｃ））と、ＶＶアンプ４９の出力波形（図２０（ｄ））を示す。ＶＶアンプ４９のゲインはＶＶアンプ４８よりも高く設定している。これにより、サブビームの再生レベルを精度良く検出することが可能となる。
【０１３５】
図２１はＶＶアンプ４９の出力におけるサブビームの再生レベルに相当する出力が、ＶＶアンプ４８のバイアスレベルの出力と略等しい値となるようにＶＶアンプ４９、ＶＶアンプ４８のゲインを設定した例である。このように設定することにより、メインビームのバイアスレベルの制御目標値とサブビームの再生レベルの制御目標値を共用することができるため、システムに記憶する目標値の数を少なく抑えることができる。これにより、システムの簡素化が図れる。この場合、図１９におけるＶＶアンプ４８、４９のゲイン調整器４６、４７がボトムレベルの目標値設定に連動して変化して、常にサブビームの再生レベル制御目標値がメインビームのボトムレベル制御目標値と一致するように自動調整を行う構成としてもよい。図２１ではバイアスレベルとサブビームの再生レベルの目標値を等しくする例を示したが、ボトムレベルの目標値とサブビームの再生レベルの目標値を等しい値とするように設定してもよい。
【０１３６】
また、パワーモニタ用検出器１２の受光部を図２２に示すように受光素子５０と５１に分割し、図２３に示すように、それぞれにＩＶアンプ５２、４４を使用する構成としてもよい。これによりＩＶアンプゲインをサブビームのパワーモニタ用にも最適設定できるため、サブビームのパワーモニタ信号のＳ／Ｎの向上が図れる。この場合、ＩＶアンプ５２ではピークレベルは飽和するケースが想定されるため、飽和復帰のスピードを確保するためのダイオードクリップ回路を設けることが望ましい。尚、図２２に示した受光素子の分割方向や分割数は一例であり、これ以外の領域や方向に分割しても構わない。
【０１３７】
（実施形態５）
次に本発明の実施形態５における光記録再生装置について説明する。
【０１３８】
図２４は記録中のメインビームとサブビームの光出力と、パワーモニタ用検出器の出力の波形を示した図である。図２５は本構成におけるパワーモニタ用検出器１２と光源制御部１１のブロック図である。
【０１３９】
図２４に示すように、この例では記録マーク形成直後（この図の場合、２つめのマークの記録直後）にサブビームの再生パワーを△Ｐだけ変化させている。これに伴い、ＶＶアンプ４９の出力も△Ｖだけ変化する。本構成では再生パワー変化前後のＶＶアンプ４９出力をサンプリングして△Ｖを検出する。そして、△Ｖを検波することによりサブビームの光出力成分を抽出し、光源２の光出力制御を行うものである。本構成により、サブビームのパワーモニタ情報をより精度良く取得することが可能となる。
【０１４０】
尚、実施形態１〜５において、光テープ１０５の進行方向を逆にした場合にも、メインビームとサブビームの役割を切り替えることで対応することができる。その場合は光源１からの光をサブビーム、光源２からの光をメインビームとして上述の動作をさせてやればよい。
【０１４１】
また、実施形態１、２において、メインビームとサブビームが同時に再生を行う動作は、非ユーザデータを検出したところで、メインビーム、サブビームの光源１、２いずれかを消灯し、もう一方のビームの光出力制御を行えばよい。この場合は、メイン、サブスポットとも再生パワーレベルのみをサンプリングすればよいため、一つの光出力制御用区間でメインビームのパワーモニタ情報取得（サブビーム消灯）とサブビームのパワーモニタ情報取得（メインビーム消灯）を連続しておこなってもよい。あるいは、メインビームとサブビームで同時に記録を行う場合（ただし、この場合はＤＲＡＷを行うことは出来ない）も、ユーザデータ記録を一時中断し、非ユーザデータを記録する区間を設けることで同様の各ビームのパワーモニタ情報を取得することができる。この場合は、サブビームも記録発光しているため、サブビームのパワーモニタ情報取得用にも非ユーザデータを設けてやればよい。
【０１４２】
また、実施形態３〜５において、メインビームとサブビームが同時に再生を行う動作は、メインビーム、サブビームともに再生レベルのみをサンプリングすればよいため、所定の周期で各光出力情報をサンプリングすればよい。あるいは、メインビームとサブビームで同時に記録を行う場合（ただし、この場合はＤＲＡＷを行うことは出来ない）も、サブビームのパワーモニタブロックにもメインビーム用と同様のサンプリング回路を設けることで対応できる。この場合は、一方のビームがボトムレベルやバイアスレベルのタイミングに、もう一方のビームの各レベルをサンプリングする構成が有効である。これらの場合には、ＩＶアンプやＶＶアンプに再生モード用、記録モード用といった複数のゲインを設けて切り替えて使用することが有効である。
【０１４３】
以上、本発明を実施形態１〜５に基づいて説明したが、本発明は、これらの実施形態に限定されるものではない。本発明の主旨を逸脱しない範囲でこれらの実施形態に各種変形を施して得られる形態や、各実施形態における構成要素を任意に組み合わせることで実現される形態も本発明に含まれる。
【産業上の利用可能性】
【０１４４】
本発明にかかる光記録再生装置は、これを複数個含む大容量情報記憶システム（たとえば光テープや光ディスクを用いたデータファイルシステム）にて記録動作とベリファイのための再生動作を同時に行うＤＲＡＷシステムにおける、複数の光源の光出力制御を簡便な構成で実現する装置やしくみとして有用である。
【符号の説明】
【０１４５】
１、２、４１０    光源
３、４０３    偏光ビームスプリッタ
４    コリメートレンズ
５、４０４    波長板
６、４０７    対物レンズ
８、４０２    検出レンズ
９、４０１    検出器
１０    信号検出用検出器
１１    光源制御部
１２    パワーモニタ用検出器
１３    メインビーム受光部
１４    サブビーム受光部
１５、５０、５１    受光素子
１６    光源１からの光
１７    光源２からの光
１８、１９、２０、４０、５３    サンプルホールド回路
２１    サンプルホールドタイミング生成ブロック
２３、２３、２４、３７、４１    差動アンプ
２５    ボトムレベル（Ｐｂレベル）目標値
２６    バイアスレベル（Ｐｅレベル）目標値
２７    ピークレベル（Ｐｗレベル）目標値
２８    ボトムレベル（Ｐｂレベル）電流ドライバ
２９    バイアスレベル（Ｐｅレベル）電流ドライバ
３０    ピークレベル（Ｐｗレベル）電流ドライバ
３１、３２、３３    スイッチ
３４    レーザ駆動出力タイミング生成ブロック
３６、５４    検波器
３８、４２    再生レベル目標値
３９、４３    再生レベル用電流ドライバ
４４、５２    ＩＶアンプ
４５    ＩＶ抵抗
４６、４７    ゲイン調整器
４８、４９    ＶＶアンプ
１２１    メイン受光素子
１１、１２２、１２３    サブ受光素子
１０５  光テープ
４０６    ミラー
【図１Ａ】
2013093086.tif 000003
【図１Ｂ】
2013093086.tif 000004
【図２Ａ】
2013093086.tif 000005
【図２Ｂ】
2013093086.tif 000006
【図３】
2013093086.tif 000007
【図４】
2013093086.tif 000008
【図５】
2013093086.tif 000009
【図６】
2013093086.tif 000010
【図７】
2013093086.tif 000011
【図８】
2013093086.tif 000012
【図９】
2013093086.tif 000013
【図１０】
2013093086.tif 000014
【図１１】
2013093086.tif 000015
【図１２】
2013093086.tif 000016
【図１３】
2013093086.tif 000017
【図１４】
2013093086.tif 000018
【図１５】
2013093086.tif 000019
【図１６】
2013093086.tif 000020
【図１７】
2013093086.tif 000021
【図１８】
2013093086.tif 000022
【図１９】
2013093086.tif 000023
【図２０】
2013093086.tif 000024
【図２１】
2013093086.tif 000025
【図２２】
2013093086.tif 000026
【図２３】
2013093086.tif 000027
【図２４】
2013093086.tif 000028
【図２５】
2013093086.tif 000029
【図２６Ａ】
2013093086.tif 000030
【図２６Ｂ】
2013093086.tif 000031
【図２６Ｃ】
2013093086.tif 000032
【図２７Ａ】
2013093086.tif 000033
【図２７Ｂ】
2013093086.tif 000034
【図２７Ｃ】
2013093086.tif 000035